(57)【特許請求の範囲】
【請求項１】
ベースブロックと、このベースブロックの一面に一面が設けられた接液ダイアフラムとを具備する差圧測定装置において、
前記ベースブロックの一面に周縁が固定され一面側が前記接液ダイアフラムを覆って設けられ他面側が測定流体に接して板状をなし前記接液ダイアフラムと同じ形状を有する保護プレートと、
この保護プレートと前記接液ダイアフラム間のクリアランスを無くすために前記保護プレートと前記接液ダイアフラム間に挟み込まれ前記保護プレートと前記接液ダイアフラムの形状と同一に製作されている樹脂シートと
を具備したことを特徴とする差圧測定装置。
【請求項２】
前記樹脂シートとして、粘弾性樹脂シートが使用されたことを特徴とする請求項１記載の差圧測定装置。
【請求項３】
前記樹脂シートとして、テフロン（登録商標）シートが使用されたことを特徴とする請求項１記載の差圧測定装置。
【請求項４】
前記保護プレートとして、耐食性金属材よりなる板状の保護プレートが使用されたことを特徴とする請求項１乃至請求項３の何れかに記載の差圧測定装置。
【発明の詳細な説明】
【０００１】
【発明の属する技術分野】
本発明は、測定精度が良好で、メンテナンス性も良好な差圧測定装置に関するものである。
【０００２】
【従来の技術】
図３は従来より一般に使用されている従来例の要部構成説明図で、図４は図３の要部詳細説明図である。
図において、ダイアフラムシールユニット３は、差圧測定装置本体１に導圧管２を介して設けられている。
【０００３】
ダイアフラムシールユニット３は、図４に示す如く、ベースブロック３１と、ベースブロック３１の一面に設けられた凹部３２と、この凹部３２に設けられ受圧室３３を構成する接液ダイアフラム３４と、一平面がこの接液ダイアフラム３４の周縁部を凹部３２に溶接３６固着するリング状のシ−ルリング３５とにより構成されている。
【０００４】
そして、接液ダイアフラム３４の上に、
凝固性流体が接液ダイアフラム３４に付着するのを防止する目的で、例えば、テフロン（＝商品名）の保護プレート４１を接液ダイアフラム３４に被せる。また、
耐食目的では、高耐食性金属の保護プレート４１を接液ダイアフラム３４の上に被せる。
その際に、接液ダイアフラム３４と保護プレート４１の間には、プロセスの測定流体からの圧力を確実に伝達させる目的でグリス、オイル等流動性を持った流動体４２を入れている。
【０００５】
【発明が解決しようとする課題】
しかしながら、このような装置においては、グリス、オイル等の流動体４２は流動性のために、接液ダイアフラム３４と保護プレート４１との間に、充填の際に気泡が残らないように慎重な作業が必要であり、気泡が残ると、測定誤差が生ずることになる。
【０００６】
さらに、充填後もプロセスの測定流体ＦＬに接続する際には、十分注意して行わないと、充填したグリス、オイルの流動体４２等が流出してしまう恐れがあり、作業的に非常に時間が掛っていた。
【０００７】
本発明の目的は、上記の課題を解決するもので、測定精度が良好で、メンテナンス性も良好な差圧測定装置を提供することにある。
【０００８】
このような目的を達成するために、本発明では、請求項１記載の差圧測定装置においては、
ベースブロックと、このベースブロックの一面に一面が設けられた接液ダイアフラムとを具備する差圧測定装置において、前記ベースブロックの一面に周縁が固定され一面側が前記接液ダイアフラムを覆って設けられ他面側が測定流体に接して板状をなし前記接液ダイアフラムと同じ形状を有する保護プレートと、この保護プレートと前記接液ダイアフラム間のクリアランスを無くすために前記保護プレートと前記接液ダイアフラム間に挟み込まれ前記保護プレートと前記接液ダイアフラムの形状と同一に製作されている樹脂シートとを具備したことを特徴とする。
【０００９】
本発明の請求項２においては、請求項1記載の差圧測定装置において、
前記樹脂シートとして、粘弾性樹脂シートが使用されたことことを特徴とする。
【００１０】
本発明の請求項３においては、請求項1記載の差圧測定装置において、
前記樹脂シートとして、テフロンシートが使用されたことを特徴とする。
【００１１】
本発明の請求項４においては、請求項１乃至請求項３の何れかに記載の差圧測定装置において、
前記保護プレートとして、耐食性金属材よりなる板状の保護プレートが使用されたことを具備したことを特徴とする。
【００１２】
【発明の実施の形態】
以下図面を用いて本発明を詳しく説明する。図１は本発明の一実施例の要部構成説明図である。
図において、図３，図４と同一記号の構成は同一機能を表す。
以下、図３，図４と相違部分のみ説明する。
【００１３】
図において、樹脂シート５１は、接液ダイアフラム３４の他面に一面が接して設けられている。
この場合は、例えば、粘弾性樹脂シートあるいはテフロンシートが使用されている。
板状の保護プレート５２は、ベースブロック３１の一面とこの樹脂シート５１の他面に一面が接して設けられ他面が測定流体ＦＬに接している。
この場合は、例えば、耐食性金属材よりなる板状の保護プレートが使用されている。
即ち、プロセスの測定流体ＦＬに直接接する、保護プレート５２は、
プロセスの測定流体ＦＬが凝固性流体の場合には、付着防止のために用いるので、この場合は、テフロン（＝商品名）の材質で出来ている。
保護プレート５２は、ベースブロック３１に被せて使用するが、接液ダイアフラム３４と同じな形状で出来ている。
さらに、保護プレート５２をベースブロック３１に取り付けた際に、保護プレート５２と接液ダイアフラム３４間のクリアランスを無くすために、樹脂シート５１を保護プレート５２と接液ダイアフラム３４間に挟み込む。
樹脂シート５１は、保護プレート５２と接液ダイアフラム３４の形状と同一に製作されている。
樹脂シート５１は、この場合は、例えば、粘弾性樹脂シート、あるいは、経年変化、耐熱性等優れたテフロンの樹脂で製作され、この場合は、保護プレート５２の１／２〜１／５厚さ程度である。
樹脂シート５１は、保護プレート５２と接液ダイアフラム３４の形状と同一に製作されているので、特に、取付のための位置決めガイド等を設けることなく容易に取り付けることが可能である。
【００１４】
この結果、
（１）接液ダイアフラム３４、樹脂シート５１、保護プレート５２はそれぞれ密着した構造となり、保護プレート５２で受けるプロセスの測定流体ＦＬからの圧力は、ロス無くセンサに伝達され、測定精度が良好な差圧測定装置が得られる。
【００１５】
（２）保護プレート５２をプラントの定期点検等で交換する際には、オイル、グリス等を充填する必要もなく、保護プレート５２のみを交換するだけで良く、メンテナンス性が良好な差圧測定装置が得られる。
【００１６】
（３）さらに、樹脂シート５１に剥離性がよいテフロン等を用いれば、取り外しの際に、樹脂シート５１が保護プレート５２や接液ダイアフラム３４に貼り付いてしまうこともなく、容易に交換作業が完了し、メンテナンス性が良好な差圧測定装置が得られる。
【００１７】
（４）さらに、樹脂シート５１を用いれば、長期間使用しても、オイル、グリス等の様に流出して無くなることもなく、メンテナンス周期が延び、長期間安定した圧力測定が可能となる差圧測定装置が得られる。
【００１８】
図２は本発明の他の実施例の要部構成説明図である。
本実施例においては、フランジ取付差圧測定装置６１も接液部構造は、ダイアフラムシール付差圧測定装置１と同じであるので、樹脂シート５１と保護プレート５２を取り付けることが出来る。
【００１９】
なお、以上の説明は、本発明の説明および例示を目的として特定の好適な実施例を示したに過ぎない。したがって本発明は、上記実施例に限定されることなく、その本質から逸脱しない範囲で更に多くの変更、変形をも含むものである。
【００２０】
【発明の効果】
以上説明したように、本発明の請求項１によれば、次のような効果がある。
接液ダイアフラムの他面に一面が接して設けられた樹脂シートと、ベースブロックの一面とこの樹脂シートの他面に一面が接して設けられ他面が測定流体に接する板状の保護プレートとが設けられた。
【００２１】
この結果、
（１）接液ダイアフラム、樹脂シート、保護プレートはそれぞれ密着した構造となり、保護プレートで受けるプロセスの測定流体からの圧力は、ロス無くセンサに伝達され、測定精度が良好な差圧測定装置が得られる。
【００２２】
（２）保護プレートをプラントの定期点検等で交換する際には、オイル、グリス等を充填する必要もなく、保護プレートのみを交換するだけで良く、メンテナンス性が良好な差圧測定装置が得られる。
【００２３】
（３）さらに、樹脂シートを用いれば、長期間使用しても、オイル、グリス等の様に流出して無くなることもなく、メンテナンス周期が延び、長期間安定した圧力測定が可能となる差圧測定装置が得られる。
【００２４】
本発明の請求項２によれば、次のような効果がある。
樹脂シートとして、粘弾性樹脂シートが使用された。
粘弾性樹脂は、静圧に対しては変形するが衝撃に対しては変形しない特性を有するので、圧力伝達が確実になり、精度の良い差圧測定装置が得られる。
【００２５】
本発明の請求項３によれば、次のような効果がある。
樹脂シートとして、テフロンシートが使用された。
【００２６】
このため、テフロンは剥離性がよいので、取り外しの際に、樹脂シートが保護プレートや接液ダイアフラムに貼り付いてしまうこともなく、容易に交換作業が完了し、メンテナンス性が良好な差圧測定装置が得られる。
【００２７】
本発明の請求項４によれば、次のような効果がある。
保護プレートとして、耐食性金属材よりなる板状の保護プレートが使用された。
【００２８】
このため、プロセスの測定流体に合わせて、最適な耐食金属材料を保護プレートとして採用することにより、保護プレートが腐食等で冒されることもない。
更に、金属製のため、接液ダイアフラムと同じ工程で製作することが可能であり、樹脂製保護プレートよりも薄い保護プレートを製作することが可能となる。これは、差圧測定装置の特性に与える影響が小さくなるため安定した圧力測定が可能となる差圧測定装置が得られる。
【００２９】
従って、本発明によれば、測定精度が良好で、メンテナンス性も良好な差圧測定装置を実現することが出来る。
【図面の簡単な説明】
【図１】本発明の一実施例の要部構成説明図である。
【図２】本発明の他の実施例の要部構成説明図である。
【図３】従来より一般に使用されている従来例の要部構成説明図である。
【図４】図３の要部詳細説明である。
【符号の説明】
１      差圧測定装置本体
２      導圧管
２１    封入液
３      ダイアフラムシールユニット
３１    ベースブロック
３２    凹部
３３    受圧室
３４    接液ダイアフラム
３５    シ−ルリング
３６    溶接部
４１    保護プレート
４２    流動体
５１    樹脂シート
５２    保護プレート
６１    フランジ取付差圧測定装置
ＦＬ    測定流体
【図１】
0004240267.tif 000002
【図２】
0004240267.tif 000003
【図３】
0004240267.tif 000004
【図４】
0004240267.tif 000005